(57)【要約】【課題】本発明は、音場空間毎の設定操作を簡易に実行させ得るようにする。【解決手段】本発明は、マルチチャンネルに対応した複数のスピーカ４を接続対象としたホームサーバ２であって、複数のスピーカ４を幾つかの音場空間に分けて配置することにより形成されたメインゾーン、ゾーン２及びゾーン３を認識し、メインゾーン、ゾーン２及びゾーン３に対する各種設定をそれぞれ個別に行い、メインゾーン、ゾーン２及びゾーン３に対する設定内容をゾーン毎に一覧表示することにより、ユーザに対してメインゾーン、ゾーン２及びゾーン３毎の設定内容を一度に視覚を通じて認識させることができるので、メインゾーン、ゾーン２及びゾーン３毎の各種設定を容易に実行させることができる。【選択図】図７
2008072401.tif 000002
【特許請求の範囲】
【請求項１】
マルチチャンネルに対応した複数のスピーカを接続対象とした音響装置であって、
上記複数のスピーカを幾つかの音場空間に分けて配置することにより形成された複数のゾーンを認識するゾーン認識手段と、
上記複数のゾーンに対する各種設定をそれぞれ個別に行う設定手段と、
上記設定手段によって行われた上記複数のゾーンに対する設定内容を上記複数のゾーン毎に一覧表示するグラフィカルユーザインタフェース手段と
を具えることを特徴とする音響装置。
【請求項２】
上記グラフィカルユーザインタフェース手段は、上記設定内容として、スピーカ設定状態を表示する
ことを特徴とする請求項１に記載の音響装置。
【請求項３】
上記グラフィカルユーザインタフェース手段は、上記設定内容として、上記スピーカ設定状態と共に、音源のソースを表示する
ことを特徴とする請求項１に記載の音響装置。
【請求項４】
上記グラフィカルユーザインタフェース手段は、上記設定内容を表すパラメータの意味及び効果を説明文として表示する
ことを特徴とする請求項１に記載の音響装置。
【請求項５】
上記グラフィカルユーザインタフェース手段は、上記設定内容を表すパラメータの変更に伴って有効又は無効になる場合、当該有効になる設定内容のみを操作可能に表示し、当該無効になる設定内容については表示しない
ことを特徴とする請求項１に記載の音響装置。
【請求項６】
上記グラフィカルユーザインタフェース手段は、上記設定内容の一つとして、音源のソースに関する映像を小画面により表示する
ことを特徴とする請求項１に記載の音響装置。
【請求項７】
マルチチャンネルに対応した複数のスピーカを接続対象とした音響装置の音響設定方法であって、
上記複数のスピーカを幾つかの音場空間に分けて配置することにより形成された複数のゾーンを認識するゾーン認識ステップと、
上記複数のゾーンに対する各種設定をそれぞれ個別に行う設定ステップと、
上記設定ステップで行われた上記複数のゾーンに対する設定内容を上記複数のゾーン毎に一覧表示する表示ステップと
を具えることを特徴とする音響設定方法。
【請求項８】
マルチチャンネルに対応した複数のスピーカを接続対象とした音響装置に対して、
上記複数のスピーカを幾つかの音場空間に分けて配置することにより形成された複数のゾーンを認識するゾーン認識ステップと、
上記複数のゾーンに対する各種設定をそれぞれ個別に行う設定ステップと、
上記設定ステップで行われた上記複数のゾーンに対する設定内容を上記複数のゾーン毎に一覧表示する表示ステップと
を実行させることを特徴とする音響設定プログラム。
【発明の詳細な説明】
【技術分野】
【０００１】
本発明は、音響装置、音響設定方法及び音響設定プログラムに関し、例えばマルチチャンネルスピーカシステムに適用して好適なものである。
【背景技術】
【０００２】
従来、マルチチャンネル再生機能を有するオーディオビジュアルアンプや、当該オーディオビジュアルアンプにチューナ機能を持たせたオーディオビジュアルレシーバ等のオーディオビジュアル音響機器（以下、これをＡＶ音響機器と呼ぶ）においては、初期設定として必ず必要なものにスピーカ設定がある。
【０００３】
一般的なマルチチャンネル再生機能を有するＡＶ音響機器としては、例えばＤＶＤビデオの音声フォーマットが５．１ｃｈであることに対応した左フロントスピーカＦＬ、右フロントスピーカＦＲ、センタスピーカＣ、左サラウンドスピーカＳＬ、右サラウンドスピーカＳＲ及びサブウーファＳＷからなる５．１ｃｈスピーカシステムがある（例えば、特許文献１参照）。
【０００４】
近年では、DOLBY DIGITAL EX（商標）や、dts-ES（商標）等の６．１ｃｈの再生出力に対応したサラウンドバックスピーカを標準で装備しているＡＶ音響機器もあり、さらにはサラウンドバックスピーカを２つにした７．１ｃｈや、サラウンドスピーカを４つにした９．１ｃｈのスピーカシステムが増えている。
【０００５】
この種のマルチチャンネルスピーカシステムにおいては、実際に接続された複数のスピーカに対して、スピーカの有／無、大きい（全帯域再生用スピーカ）／小さい（中高帯域再生用スピーカ）等の項目について設定しなければ、最適なマルチチャンネル再生環境を構築することができないため、スピーカ設定機能が必須で搭載されているものが多い。
【０００６】
またマルチチャンネルスピーカシステムにおいては、ＡＶ機器を部屋毎に分けて設置し、ユーザの部屋間の移動に伴い、移動前の部屋で聴取していた音楽を、移動後の部屋で引き続き聴取させるようにＡＶ機器管理マネージャによりＡＶ機器を制御するものがある（例えば、特許文献２参照）
【特許文献１】特開2005-12534公報
【特許文献２】特開2005-175660公報
【発明の開示】
【発明が解決しようとする課題】
【０００７】
ところでかかる構成のマルチチャンネルスピーカシステムにおいては、スピーカ設定を行うに当たって、配置されているスピーカ毎に状態を決定していくため、多数の項目を一々設定しなければならず、ユーザにとっては非常に煩雑な操作を強いるという問題があった。
【０００８】
またマルチチャンネルスピーカシステムでは、ユーザインタフェースとして表示能力の乏しいＦＬ(Fluorescent Lamp)管等が音響機器に使用されていることが多く、個々の音場空間である部屋毎にスピーカ設定、ソースの選択、各種パラメータの設定をユーザに行わせるには、操作が複雑になり、誰でもが簡単に操作し得ないという問題があった。
【０００９】
本発明は以上の点を考慮してなされたもので、音場空間毎の設定操作を簡易に実行させ得る音響装置、音響設定方法及び音響設定プログラムを提案しようとするものである。
【課題を解決するための手段】
【００１０】
かかる課題を解決するため本発明においては、マルチチャンネルに対応した複数のスピーカを接続対象とした音響装置であって、複数のスピーカを幾つかの音場空間に分けて配置することにより形成された複数のゾーンを認識するゾーン認識手段と、複数のゾーンに対する各種設定をそれぞれ個別に行う設定手段と、当該設定手段によって行われた複数のゾーンに対する設定内容を複数のゾーン毎に一覧表示するグラフィカルユーザインタフェース手段とを設けることにより、ユーザに対してゾーン毎の設定内容を一度に視覚を通じて認識させることができるので、ゾーン毎の各種設定を容易に実行させることができる。
【発明の効果】
【００１１】
本発明によれば、ユーザに対してゾーン毎の設定内容を一度に視覚を通じて認識させることができるので、ゾーン毎の各種設定を容易に実行させることができ、かくしてゾーンとして認識した音場空間毎の設定操作を簡易に実行させ得る音響装置、音響設定方法及び音響設定プログラムを実現することができる。
【発明を実施するための最良の形態】
【００１２】
以下、図面について、本発明の一実施の形態を詳述する。
【００１３】
（１）本実施の形態におけるＡＶシステムの全体構成
図１に示すように、本実施の形態におけるＡＶ(Audio Visual)システム１は、ホームサーバ２に対して、複数の再生装置３、複数のスピーカ４及び表示部として、例えばＬＣＤ(Liquid Crystal Display)５をそれぞれ接続することにより構成される。
【００１４】
この実施の形態では、再生装置３として、例えば、ＤＶＤ(Digital Versatile Disk)プレーヤ３Ａ、ＣＤ(Compact Disk)プレーヤ３Ｂ及び携帯型音楽プレーヤ３Ｃがホームサーバ２にそれぞれ接続される。
【００１５】
またこの実施の形態では、スピーカ４として、例えば、７．１ｃｈサラウンドシステムに対応する左フロントスピーカ４ＦＬ、右フロントスピーカ４ＦＲ、センタスピーカ４ＣＴ、左サラウンドスピーカ４ＳＬ、右サラウンドスピーカ４ＳＲ、左サラウンドバックスピーカ４ＳＢＬ、右サラウンドバックスピーカ４ＳＢＲ及びサブウーファ４ＳＷがそれぞれホームサーバ２に対して接続される。
【００１６】
これら各スピーカ４（４ＦＬ、４ＦＲ、４ＣＴ、４ＳＬ、４ＳＲ、４ＳＢＬ、４ＳＢＲ及び４ＳＷ）は、リスニングルームの状態や、実現したい音場空間等に応じて適宜配置されるようになされている。
【００１７】
また、このＡＶシステム１では、音場空間に関する各種設定画面をＬＣＤ５に表示し、リモートコントローラＲＣＬなどの操作に応じて設定された設定内容を保存すると共に、その設定内容に応じた音響環境を構築し、ユーザに聴取させ得るようになされている。
【００１８】
（２）ホームサーバの構成
次に、このホームサーバ２の回路構成を説明する。図２に示すようにホームサーバ２は、制御部１０に対して、操作入力部１１、インターフェース１２、データ記憶媒体１３、ＦＬ管（蛍光表示管）１４、グラフィック処理部１５、ディジタル信号処理部１６、配信処理部１７及びアナログ信号処理部１８がそれぞれ接続された構成を有する。
【００１９】
制御部１０は、このＡＶシステム１全体の制御を司るＣＰＵ(Central Processing Unit)と、基本プログラム及び各種アプリケーションプログラムが格納されるＲＯＭ(Read Only Memory)と、当該ＣＰＵのワークメモリとして使用されるＲＡＭ(Random Access Memory)とを含むマイクロコンピュータで構成されている。
【００２０】
操作入力部１１は、このホームサーバ２の筺体表面及びリモートコントローラＲＣＬ（図１）に設けられた各種操作子（操作ボタンやロータリエンコーダ（回転自在のノブ）等）の操作に対応する制御データを生成し、これを制御部１０へ送出する。
【００２１】
インターフェース１２は、例えばＵＳＢ(Universal Serial Bus)でなり、制御部１０から供給される制御データを、このインターフェース１２に接続された例えばＤＶＤプレーヤ３Ａ、ＣＤプレーヤ３Ｂ及び携帯型音楽プレーヤ３Ｃへ送出する一方、当該ＤＶＤプレーヤ３Ａ、ＣＤプレーヤ３Ｂ及び携帯型音楽プレーヤ３Ｃにより生成された制御データを受け取って制御部１０へ送出する。
【００２２】
データ記憶媒体１３は、例えばＥＥＰＲＯＭ（Electrically Erasable Programmable Read Only Memory）でなり、当該データ記憶媒体１３には、音場空間に関する複数のスピーカ４に対する各種設定内容を表すデータ（以下、これを設定データと呼ぶ）Ｄ１と、ＧＵＩ(Graphical User Interface)画面のテンプレートとなる各種画面データ（以下、これを設定画面データと呼ぶ）Ｄ２が記憶される。
【００２３】
ＦＬ管１４は、ホームサーバ２の筐体表面に設けられており、制御部１０により生成されたコンテンツの内容を表す文字や、音場空間に関する設定項目の詳細を表す文字等を表示するようになされている。
【００２４】
グラフィック処理部１５には、ＤＶＤプレーヤ３Ａによって再生されたビデオ信号が、図示しないディジタルビデオ入力端子、アナログビデオ入力端子又はコンポーネントビデオ入出力端子を介して入力される。またグラフィック処理部１５には、データ記憶媒体１３に記憶された設定データＤ１及び設定画面データＤ２が入力される。
【００２５】
グラフィック処理部１５は、ビデオ信号が入力された場合、そのビデオ信号に対して所定の信号処理を施し、その結果として得られるビデオ信号をＬＣＤ５（図１）に出力することによって当該ビデオ信号に応じたビデオ映像を表示する。
【００２６】
一方、グラフィック処理部１５は、設定データＤ１及び設定画面データＤ２が入力された場合、これら設定データＤ１及び設定画面データＤ２に基づいてＧＵＩ画面データＤ３を生成し、これをＬＣＤ５（図１）に出力することによって当該ＧＵＩ画面データＤ３に応じたＧＵＩ画面を表示するようになされている。
【００２７】
ディジタル信号処理部１６には、ＤＶＤプレーヤ３Ａ又は携帯型音楽プレーヤ３Ｃによって再生される光ディジタルオーディオ信号が、ディジタル入出力端子を介してＤＩＲ(Digital Interface Receiver)３１に入力される。またディジタル信号処理部１６には、ＣＤプレーヤ３Ｂによって再生されるアナログオーディオ信号が、アナログ入出力端子を介してディジタル信号処理部１６のＡＤＣ (Analog Digital Converter)３２に入力される。
【００２８】
ＤＩＲ３１は、光ディジタルオーディオ信号を電気信号によるディジタルオーディオ信号に変換し、これをデコーダ／ＤＳＰ(Digital Signal Processor)３３へ送出する。ＡＤＣ３２は、アナログオーディオ信号をディジタルオーディオ信号に変換し、これをデコーダ／ＤＳＰ３３へ送出する。
【００２９】
デコーダ／ＤＳＰ３３は、ＤＩＲ３１又はＡＤＣ３２から供給されるディジタルオーディオ信号に対して各種処理を必要に応じて施すようになされている。具体的にはディジタルオーディオ信号が圧縮されている場合、デコーダ／ＤＳＰ３３は、当該圧縮方式に応じた伸長処理を施す。また、ディジタルオーディオ信号が７．１ｃｈ等の多重化信号である場合、デコーダ／ＤＳＰ３３は、チャンネル毎のディジタルオーディオ信号に分離する。
【００３０】
さらにデコーダ／ＤＳＰ３３は、複数のスピーカ４によって形成される音像に関する設定データＤ１が制御部１０から与えられている場合、その設定データＤ１に基づいて、例えばある周波数帯の信号に対する振幅や位相を調整したり、チャンネル数を擬似的に増減する等の処理を実行する。
【００３１】
デコーダ／ＤＳＰ３３は、このような各種信号処理を適宜施し、その信号処理後に得られるディジタルオーディオ信号をＤＡＣ(Digital Analog Converter)３４へ送出する。このディジタルオーディオ信号は、ＤＡＣ３４によりアナログオーディオ信号に変換され、配信処理部１７へ出力される。
【００３２】
配信処理部１７は、ＤＡＣ３４から入力されるアナログオーディオ信号を、後段のアナログ信号処理部１８のうち、当該アナログオーディオ信号のチャンネルに対応するボリューム調整部４１１〜４１８へ送出する。
【００３３】
ボリューム調整部４１１〜４１８は、配信処理部１７から入力されるアナログオーディオ信号のレベルを、操作入力部１１から与えられるボリューム変更命令にしたがってチャンネル毎に調整し、当該調整後のアナログオーディオ信号をアンプ４２１〜４２８へ送出する。
【００３４】
このチャンネル毎のアナログオーディオ信号は、アンプ４２１〜４２８により、各スピーカ４（４ＦＬ、４ＦＲ、４ＣＴ、４ＳＬ、４ＳＲ、４ＳＢＬ、４ＳＢＲ及び４ＳＷ）を駆動できるように増幅され、リレー４３１〜４３８を介して出力される。
【００３５】
因みに、リレー４３１〜４３８は、例えば、操作入力部１１から与えられる命令により、使用しないスピーカ４への出力を遮断することもでき、これにより使用するスピーカ４と、使用しないスピーカ４とを使い分けることができるようになされている。
【００３６】
（３）制御部の具体的な処理内容
次に、このホームサーバ２における制御部１０の具体的な処理内容を説明する。制御部１０は、ＲＯＭに記憶された基本プログラム及び各種アプリケーションプログラムに従い、操作入力部１１又はインターフェース１２から与えられる制御データと、データ記憶媒体１３に記憶された設定データＤ１等に基づいて、表示部１４、グラフィック処理部１５、ディジタル信号処理部１６、配信処理部１７及びアナログ信号処理部１８を適宜制御することによって各種処理を実行する。
【００３７】
（３−１）再生処理
制御部１０は、例えば再生命令を表す制御データが操作入力部１１から与えられた場合、この再生命令の対象とされるＤＶＤプレーヤ３Ａ、ＣＤプレーヤ３Ｂ又は携帯型音楽プレーヤ３Ｃを駆動して再生制御し、ＤＶＤプレーヤ３Ａ、ＣＤプレーヤ３Ｂ又は携帯型音楽プレーヤ３Ｃから供給されるコンテンツ情報に基づいて当該コンテンツの内容を表す文字データを生成し、当該文字データに応じた文字をＦＬ管１４及びＬＣＤ５に表示する。
【００３８】
また制御部１０は、ＤＶＤプレーヤ３Ａを再生中、当該ＤＶＤプレーヤ３Ａから供給されるビデオ信号に基づくビデオ映像を、グラフィック処理部１５を介してＬＣＤ５（図１）に表示する。因みに、制御部１０は、ＣＤプレーヤ３Ｂ又は携帯型音楽プレーヤ３Ｃの再生中にあっては、各ソースに合わせた映像をグラフィック処理部１５により生成し、これをＬＣＤ５に表示する。
【００３９】
実際上、ホームサーバ２の制御部１０は、電源の投入に伴い、グラフィック処理部１５により、図３に示すようなホーム画面ＨＭを生成し、これをＬＣＤ５に表示する。このホーム画面ＨＭでは、「ビデオ」アイコンＡＣ１、「ミュージック」アイコンＡＣ２、「セッティング」アイコンＡＣ３が最上位の階層に配置されている。
【００４０】
制御部１０は、ホーム画面ＨＭの「ビデオ」アイコンＡＣ１が選択決定された場合、図４に示すように、ＤＶＤプレーヤ３Ａから供給されるビデオ信号に応じたビデオ映像ＶＳをＬＣＤ５に表示する。
【００４１】
また制御部１０は、ホーム画面ＨＭの「ミュージック」アイコンＡＣ２が選択決定された場合、図５に示すように、例えばＣＤプレーヤ３Ｂの再生音声とは無関係の「ＮＯＷ  ＰＬＡＹＩＮＧ」の文字からなる通知画面Ｎ１をグラフィック処理部１５により生成し、これをＬＣＤ５に表示したり、或いは図６に示すように携帯型音楽プレーヤ３Ｃの再生トラック番号、再生経過時間、アーティスト名及びアルバム名等からなる通知画面Ｎ２をグラフィック処理部１５により生成し、これをＬＣＤ５に表示するようになされている。
【００４２】
これにより制御部１０は、通知画面Ｎ１（図５）や通知画面Ｎ２（図６）により、ＣＤ再生中であることや、携帯型音楽プレーヤ３Ｃによる再生内容をユーザに対して視覚的に通知し得るようになされている。
【００４３】
（３−２）音場設定処理
また制御部１０は、例えば音場設定命令を表す制御データが操作入力部１１から与えられた場合、データ記憶媒体１３に記憶された設定データＤ１及び設定画面データＤ２に基づくＧＵＩ画面データＤ３を、グラフィック処理部１５を介して生成させ、当該ＧＵＩ画面データＤ３に応じたＧＵＩ画面をＬＣＤ５（図１）に表示する。
【００４４】
そして制御部１０は、リモートコントローラＲＣＬなどの操作に応じて操作入力部１１から音場空間に配置された各スピーカ４に対する設定変更命令が与えられたとき、その設定変更命令の内容に応じて、データ記憶媒体１３に記憶された設定データＤ１の内容を書き換える。
【００４５】
なお制御部１０は、設定変更命令の内容が音像に関する内容であった場合、設定変更命令が与えられたとき、その設定変更命令に応じた音像となるように、所定のテスト音をスピーカ４から出力すると共に、当該音像をイメージとしてＬＣＤ５（図１）に表示することによって、聴覚及び視覚的に音像を表現し得るようになされている。
【００４６】
（３−３）ゾーン設定処理
この実施の形態の場合、ホームサーバ２では、各スピーカ４（４ＦＬ、４ＦＲ、４ＣＴ、４ＳＬ、４ＳＲ、４ＳＢＬ、４ＳＢＲ及び４ＳＷ）を、例えばリスニングルーム、キッチン、子供部屋等のそれぞれの音場空間毎に複数のグループとして割り当て、当該グループに属するスピーカ４から互いに異なる再生音又は同じ再生音を出力するように設定し得るようになされている。
【００４７】
従ってホームサーバ２では、各グループに属するスピーカ４をそれぞれ異なる音場空間に配置し、個々の音場空間をゾーンとして認識することにより、ゾーン単位での音場補正を一括して集中管理し得るようになされている。
【００４８】
（４）ＧＵＩを用いたゾーン設定方法
このＡＶシステム１では、上述のようにリスニングルーム、キッチン、子供部屋をそれぞれ一つの音場空間すなわちゾーンとして考え、リスニングルームには左フロントスピーカ４ＦＬ、右フロントスピーカ４ＦＲ、センタスピーカ４ＣＴ及びサブウーファ４ＳＷを配置し、キッチンには左サラウンドスピーカ４ＳＬ及び右サラウンドスピーカ４ＳＲを配置すると共に、子供部屋には左サラウンドバックスピーカ４ＳＢＬ及び右サラウンドバックスピーカ４ＳＢＲを配置するようになされている。
【００４９】
因みに、スピーカ４の配置パターンとしては、これに限るものではなく、その他の種々の組み合わせによるものであっても良い。
【００５０】
そしてＡＶシステム１のホームサーバ２は、リスニングルームをメインゾーンとして捉えると共に、キッチンをゾーン２、子供部屋をゾーン３として捉え、メインゾーン、ゾーン２及びゾーン３に対するスピーカ設定、配信するコンテンツの種類、所定の機能に関するオンオフ設定等の各種設定をＬＣＤ５のＧＵＩ画面上でそれぞれ個別に行うと共に、これらのマルチゾーンセッティング処理の設定内容を当該ＧＵＩ画面上で一覧表示するようになされている。
【００５１】
実際上、ホームサーバ２の制御部１０は、ＬＣＤ５に表示するＧＵＩ画面上でマルチゾーンセッティング処理を容易に実行させ得るようになされており、その場合、ユーザに対して「セッティング」アイコンＡＣ３（図３）を選択させたうえで、その下位階層にある「マルチゾーンセッティング」アイコンＡＣ４を選択決定させるようになされている。
【００５２】
この場合、制御部１０は、図７に示すように、グラフィック処理部１５により生成したマルチゾーン配信状態一覧画面ＭＺＤ１をＬＣＤ５に表示する。このマルチゾーン配信状態一覧画面ＭＺＤ１（図７）では、メインゾーン（「Ｍａｉｎ」）、ゾーン２（「Ｚｏｎｅ２」）及びゾーン３（「Ｚｏｎｅ３」）に対して、入力ソース項目（「Ｉｎｐｕｔ」）、音量レベル項目（「Ｖｏｌｕｍｅ」）、ホームサーバ２に接続された各種機器に対して動作命令を自動的に供給する機器制御項目（「１２Ｖ  Ｔｒｉｇｇｅｒ」）がそれぞれ一覧表示される。
【００５３】
このマルチゾーン配信状態一覧画面ＭＺＤ１（図７）では、メインゾーン（「Ｍａｉｎ」）に対してフォーカスが当てられている状態（網掛け処理されている）を示しており、すなわちメインゾーン（「Ｍａｉｎ」）がセッティング処理の設定対象であることをユーザに対して視覚的に認識させ得るようになされている。
【００５４】
入力ソース項目（「Ｉｎｐｕｔ」）は、メインゾーン（「Ｍａｉｎ」）、ゾーン２（「Ｚｏｎｅ２」）及びゾーン３（「Ｚｏｎｅ３」）に対してそれぞれ配信される入力ソースの種類を一覧として示しており、この場合メインゾーン（「Ｍａｉｎ」）にはＤＶＤプレーヤ３Ａのことを示す「ＤＶＤ」が表示され、ゾーン２（「Ｚｏｎｅ２」）には携帯型音楽プレーヤ３Ｃのことを示す「Ｍｕｓｉｃ  Ｐｌａｙｅｒ」が表示され、ゾーン３（「Ｚｏｎｅ３」）にはＣＤプレーヤ３Ｂのことを示す「ＣＤ」が表示されている。
【００５５】
従ってホームサーバ２を管理するユーザは、マルチゾーン配信状態一覧画面ＭＺＤ１（図７）を介して、メインゾーン（リビングルーム）にはＤＶＤプレーヤ３Ａによって再生されるＤＶＤの音声が出力され、ゾーン２（キッチン）には携帯型音楽プレーヤによって再生される音楽の音声が出力され、ゾーン３（子供部屋）にはＣＤプレーヤ３Ｂによって再生されるＣＤの音声が出力されることを一目で認識し得るようになされている。
【００５６】
音量レベル項目（「Ｖｏｌｕｍｅ」）は、メインゾーン（「Ｍａｉｎ」）、ゾーン２（「Ｚｏｎｅ２」）及びゾーン３（「Ｚｏｎｅ３」）に対してそれぞれ出力される音量レベルの絶対値を示しており、この場合メインゾーン（「Ｍａｉｎ」）には「−２０．０ｄＢ」が表示され、ゾーン２（「Ｚｏｎｅ２」）には「−３０．５ｄＢ」が表示され、ゾーン３（「Ｚｏｎｅ３」）にはＣＤプレーヤ３Ｂの電源がＯＦＦであるので何も表示されることがない。
【００５７】
機器制御項目（「１２Ｖ  Ｔｒｉｇｇｅｒ」）は、メインゾーンに対してのみ割り当てられる機能であって、「ＩＮＰＵＴ」又は「ＯＦＦ」が表示される。この機器制御項目（「１２Ｖ  Ｔｒｉｇｇｅｒ」）が「ＩＮＰＵＴ」に設定された場合にのみ、マルチゾーン配信状態一覧画面ＭＺＤ１（図７）の画面右側にインプットトリガセッティング表示欄ＡＲ１が表示され、「ＯＦＦ」に設定された場合、インプットトリガセッティング表示欄ＡＲ１が表示されることはない。
【００５８】
ここで、機器制御項目（「１２Ｖ  Ｔｒｉｇｇｅｒ」）の機能とは、ホームサーバ２に入力ソース項目（「Ｉｎｐｕｔ」）として接続された「ＤＶＤ」で示されるＤＶＤプレーヤ３Ａに関連した他の機器を、ホームサーバ２経由で自動的に起動させるための命令信号（１２Ｖ）を出力することである。
【００５９】
すなわち機器制御項目（「１２Ｖ  Ｔｒｉｇｇｅｒ」）が「ＩＮＰＵＴ」に設定された場合、インプットトリガセッティング表示欄ＡＲ１の入力ソース（「ＶＩＤＥＯ１」〜「ＶＩＤＥＯ３」、「ＤＶＤ」、「Ｍｕｓｉｃ  Ｐｌａｙｅｒ」、「ＣＤ」、「ＭＤ」）に対して「ＯＮ」が設定されれば、その入力ソースがホームサーバ２に接続された場合、その入力ソースに関連した他の機器に対して命令信号（１２Ｖ）を出力するが、「ＯＦＦ」が設定されれば命令信号（１２Ｖ）を出力することはないようになされている。
【００６０】
具体的には、例えばＤＶＤプレーヤ３Ａに関する他の機器として、プロジェクター及びスクリーンがホームサーバ２に接続されていた場合、メインゾーンのＤＶＤプレーヤ３Ａの電源が投入された時点で、ホームサーバ２から自動的に命令信号（１２Ｖ）をプロジェクター及びスクリーンへ供給することになるため、ユーザの手を煩わせることなく、ＤＶＤプレーヤ３Ａに関連したプロジェクター及びスクリーンが自動的にセットアップされることになる。
【００６１】
またホームサーバ２の制御部１０は、メインゾーン（「Ｍａｉｎ」）のＤＶＤプレーヤ３Ａから再生映像データを受け取り、ゾーン２（「Ｚｏｎｅ２」）の携帯型音楽プレーヤ３Ｃから再生対象のトラック番号、タイトル、アーティスト名等の属性情報を受け取り、ゾーン３（「Ｚｏｎｅ３」）のＣＤプレーヤ３ＢからＣＤのタイトル及びアーティスト名等の属性情報を受け取るようになされており、マルチゾーン配信状態一覧画面ＭＺＤ１（図７）において、メインゾーン（「Ｍａｉｎ」）、ゾーン２（「Ｚｏｎｅ２」）及びゾーン３（「Ｚｏｎｅ３」）で出力対象のコンテンツに関する映像をそれぞれ生成し、これらを小ウィンドウ画面ＷＳ１、ＷＳ２及びＷＳ３に表示するようになされている。
【００６２】
この結果、メインゾーン（「Ｍａｉｎ」）に対応した小ウィンドウ画面ＷＳ１では、入力ソース項目（「Ｉｎｐｕｔ」）として接続された「ＤＶＤ」に対応するＤＶＤプレーヤ３Ａの再生映像が表示され、ゾーン２（「Ｚｏｎｅ２」）に対応した小ウィンドウ画面ＷＳ２では、入力ソース項目（「Ｉｎｐｕｔ」）として接続された「Ｍｕｓｉｃ  Ｐｌａｙｅｒ」に対応する携帯型音楽プレーヤ３Ｃの再生対象であるトラック番号の映像が表示され、ゾーン３（「Ｚｏｎｅ３」）に対応した小ウィンドウ画面ＷＳ３では、入力ソース項目（「Ｉｎｐｕｔ」）として接続された「ＣＤ」に対応するＣＤプレーヤ３ＢのＣＤ映像が表示される。
【００６３】
これによりホームサーバ２を管理しているユーザは、メインゾーン（「Ｍａｉｎ」）のユーザがどのような内容の再生映像を目視しているか、ゾーン２（「Ｚｏｎｅ２」）のユーザがどのようなタイトルの楽曲を聴取しているか、ゾーン３（「Ｚｏｎｅ３」）のユーザが実際には聴取していないまでも、どのようなタイトルのＣＤを聴取する予定なのか、或いは既に聴取したのかを一括してチェックすることができる。
【００６４】
制御部１０は、マルチゾーン配信状態一覧画面ＭＺＤ１（図７）を表示中、リモートコントローラＲＣＬの「エンター」キー、及び２回の「→」キーに対するユーザの押下操作に応じて、図８に示すような、機器制御項目（「１２Ｖ  Ｔｒｉｇｇｅｒ」）にのみフォーカスが当てられたマルチゾーン配信状態一覧画面ＭＺＤ２にＬＣＤ５の表示を切り換えるようになされている。
【００６５】
この場合、制御部１０は、マルチゾーン配信状態一覧画面ＭＺＤ２（図８）における機器制御項目（「１２Ｖ  Ｔｒｉｇｇｅｒ」）のダウンキーＤＷＫに合わせてリモートコントローラＲＣＬの「↓」キーが押下操作されたことを認識した場合、マルチゾーン配信状態一覧画面ＭＺＤ１（図７）における機器制御項目（「１２Ｖ  Ｔｒｉｇｇｅｒ」）の「ＩＮＰＵＴ」を、マルチゾーン配信状態一覧画面ＭＺＤ２（図８）における機器制御項目（「１２Ｖ  Ｔｒｉｇｇｅｒ」）の「ＯＦＦ」へと切り換える。
【００６６】
制御部１０は、機器制御項目（「１２Ｖ  Ｔｒｉｇｇｅｒ」）を「ＯＦＦ」へ切り換えたことに伴って、マルチゾーン配信状態一覧画面ＭＺＤ１（図７）のインプットトリガセッティング表示欄ＡＲ１を、マルチゾーン配信状態一覧画面ＭＺＤ２（図８）から除去し、かつコメント欄ＣＭ１に対して「１２Ｖトリガを常時ＯＦＦにします。」の文字を、パラメータ変更中の説明文として、当該マルチゾーン配信状態一覧画面ＭＺＤ２（図８）に表示するようになされている。
【００６７】
なお、制御部１０は、マルチゾーン配信状態一覧画面ＭＺＤ２（図８）に対しても、マルチゾーン配信状態一覧画面ＭＺＤ１（図７）と同様に、小ウィンドウ画面ＷＳ１、ＷＳ２及びＷＳ３を介して各ゾーンに配信中のコンテンツに関する映像を表示し得るようになされている。
【００６８】
ところで制御部１０は、マルチゾーン配信状態一覧画面ＭＺＤ１（図７）の表示中、リモートコントローラＲＣＬの「→」キーに対するユーザの押下操作に応じて、図９に示すような、インプットトリガセッティング表示欄ＡＲ１のソース項目（この場合、「ＶＩＤＥＯ１  ＯＮ」）についてのみフォーカスが当てられたマルチゾーン配信状態一覧画面ＭＺＤ３にＬＣＤ５の表示を切り換えるようになされている。
【００６９】
このマルチゾーン配信状態一覧画面ＭＺＤ３（図９）では、インプットトリガセッティング表示欄ＡＲ１のソース項目（「ＶＩＤＥＯ１  ＯＮ」）に対してフォーカスが当てられた状態であり、コメント欄ＣＭ２に対して「Ｉｎｐｕｔの切り替えに連動して、１２ＶトリガをＯＮ／ＯＦＦします。各Ｉｎｐｕｔに対してＯＮ／ＯＦＦを設定できます。」の文字が、ソース項目（「ＶＩＤＥＯ１  ＯＮ」）のパラメータ（ＯＮ／ＯＦＦ）変更により効果を発揮するか否かを示す説明文として表示される。
【００７０】
制御部１０は、リモートコントローラＲＣＬの「↑」キー又は「↓」キーに対するユーザの押下操作に応じて、インプットトリガセッティング表示欄ＡＲ１のソース項目を上下方向へ順次切り換え得るようになされている。
【００７１】
そして制御部１０は、マルチゾーン配信状態一覧画面ＭＺＤ３（図９）の表示中、リモートコントローラＲＣＬの「←」キーに対するユーザの押下操作に応じて、メインゾーン（「Ｍａｉｎ」）に対してフォーカスが当てられているマルチゾーン配信状態一覧画面ＭＺＤ１（図７）にＬＣＤ５の表示を戻す。
【００７２】
続いて制御部１０は、マルチゾーン配信状態一覧画面ＭＺＤ１（図７）を表示中、リモートコントローラＲＣＬの「↓」キーに対する２回の押下操作に応じて、図１０に示すような、マルチゾーン配信状態一覧画面ＭＺＤ４にＬＣＤ５の表示を切り換えるようになされている。
【００７３】
このマルチゾーン配信状態一覧画面ＭＺＤ４（図１０）では、ゾーン３（「Ｚｏｎｅ３」）に対してフォーカスが当てられている状態（網掛け処理されている）を示しており、すなわちゾーン３（「Ｚｏｎｅ３」）がセッティング処理の設定対象であることをユーザに対して視覚的に認識させ得るようになされている。
【００７４】
ここで制御部１０は、ゾーン３（「Ｚｏｎｅ３」）の電源がオフ状態であって、セッティング処理の設定対象としてパラメータを変更しても効果がないため、入力ソース項目（「Ｉｎｐｕｔ」）及び音量レベル項目（「Ｖｏｌｕｍｅ」）に対して何ら表示することがないので、ユーザの誤操作による設定ミスを未然に防止し得るようになされている。
【００７５】
因みに、制御部１０は、パラメータ自体の変更がそもそも禁止されている場合も、そのような項目については最初から表示しないようになされており、ユーザに対して、そのような項目を操作させないようになされている。
【００７６】
（５）動作及び効果
以上の構成において、ＡＶシステム１のホームサーバ２は、マルチゾーン配信状態一覧画面ＭＺＤ１（図７）〜マルチゾーン配信状態一覧画面ＭＺＤ１（図１０）により、メインゾーン（「Ｍａｉｎ」）、ゾーン２（「Ｚｏｎｅ２」）及びゾーン３（「Ｚｏｎｅ３」）を含む全てのゾーンに対する各種設定内容を、ユーザに対して一度に目視確認させることができるので、従来のように、これまで表示能力に乏しいＦＬ管１４だけでゾーン毎に各種設定を行う場合に比べて、設定内容を同時に目視させ、かつ理解させながら、操作性を一段と向上させている。
【００７７】
またホームサーバ２は、マルチゾーン配信状態一覧画面ＭＺＤ２（図８）におけるメインゾーン（「Ｍａｉｎ」）の機器制御項目（「１２Ｖ  Ｔｒｉｇｇｅｒ」）に対するパラメータを「ＯＦＦ」へ切り換えた場合、コメント欄ＣＭ１を介して、そのパラメータ変更の意味を説明文として表示することにより、その説明文を読んだユーザに対してはパラメータ変更の効果を瞬時に理解させ、かつ取扱説明書等をユーザに読ませることなく、その場で直ちに次の直感的な操作を実行させることができる。
【００７８】
さらにホームサーバ２は、マルチゾーン配信状態一覧画面ＭＺＤ３（図９）におけるインプットトリガセッティング表示欄ＡＲ１のソース項目に対するパラメータ（ＯＮ／ＯＦＦ）変更により効果を発揮する場合、そのことを示す説明文をコメント欄ＣＭ２に表示する。
【００７９】
一方、ホームサーバ２は、マルチゾーン配信状態一覧画面ＭＺＤ４（図１０）におけるゾーン３（「Ｚｏｎｅ３」）の電源がオフ状態であって、セッティング処理の設定対象としてパラメータを変更しても効果がない場合、入力ソース項目（「Ｉｎｐｕｔ」）及び音量レベル項目（「Ｖｏｌｕｍｅ」）に対して何ら表示せずに、ユーザの誤操作による設定ミスを未然に防止する。
【００８０】
なおホームサーバ２では、ゾーン２（「Ｚｏｎｅ２」）のユーザにより携帯型音楽プレーヤ３Ｃの音量レベル項目（「Ｖｏｌｕｍｅ」）が変更されたり、ゾーン３（「Ｚｏｎｅ３」）のユーザによってＣＤプレーヤ３Ｂの音量レベル項目（「Ｖｏｌｕｍｅ」）が変更された場合であっても、携帯型音楽プレーヤ３ＣやＣＤプレーヤ３Ｂから変更結果を受け取っているので、その変更結果をマルチゾーン配信状態一覧画面ＭＺＤ１〜ＭＺＤ４に反映することができ、かくして全てのゾーンにおける各種設定内容を容易に管理させることができる。
【００８１】
以上の構成によれば、ＡＶシステム１では、ユーザに対してゾーン毎の設定内容を一度に視覚を通じて認識させることができるので、ゾーン毎の各種設定を容易に実行させることができ、かくしてゾーンとして認識したリスニング空間毎の設定操作を簡易に実行させることができる。
【００８２】
（６）他の実施の形態
なお上述の実施の形態においては、メインゾーン（「Ｍａｉｎ」）をリビングルーム、ゾーン２（「Ｚｏｎｅ２」）をキッチン、ゾーン３（「Ｚｏｎｅ３」）を子供部屋に設定するようにした場合について述べたが、本発明はこれに限らず、一つの大きな音場空間を複数のエリアに区切って、それぞれのエリア毎にゾーンを設定するようにしても良い。
【００８３】
また上述の実施の形態においては、ホームサーバ２の制御部１０がメインゾーン（「Ｍａｉｎ」）、ゾーン２（「Ｚｏｎｅ２」）及びゾーン３（「Ｚｏｎｅ３」）に対する出力対象のコンテンツに関する映像を小ウィンドウ画面ＷＳ１、ＷＳ２及びＷＳ３に表示するようにした場合について述べたが、本発明はこれに限らず、ＤＶＤプレーヤ３Ａが再生する再生映像のコンテンツ名、携帯型音楽プレーヤ３Ｃが再生中のトラック番号、タイトル、アーティスト名、ＣＤプレーヤ３Ｂが再生中のＣＤのタイトル及びアーティスト名等を小ウィンドウ画面ＷＳ１、ＷＳ２、ＷＳ３を用いることなく、文字表示するようにしても良い。
【００８４】
さらに上述の実施の形態においては、マルチチャンネルに対応した複数のスピーカ４を接続対象とした音響装置としてのホームサーバ２を、複数のスピーカ４を幾つかの音場空間に分けて配置することにより形成された複数のゾーンを認識するゾーン認識手段としての制御部１０、複数のゾーンに対する各種設定をそれぞれ個別に行う設定手段としての制御部１０、複数のゾーンに対する設定内容を複数のゾーン毎に一覧表示するグラフィカルユーザインタフェース手段としてのグラフィック処理部１５によってハードウェア的に構成するようにした場合について述べたが、本発明はこれに限らず、制御部１０及びグラフィック処理部１５をソフトウェア的に構成したり、制御部１０及びグラフィック処理部１５を一体的に構成するようにしても良い。
【産業上の利用可能性】
【００８５】
本発明の音響装置、音響設定方法及び音響設定プログラムは、リスニングルーム、キッチン、子供部屋等を具えた家屋ではなく、複数の個室を具えたカラオケボックス等で個室毎に各種設定を行う用途に適用することができる。
【図面の簡単な説明】
【００８６】
【図１】ＡＶシステムの全体構成を示す略線図である。
【図２】ホームサーバの構成を示す略線的ブロック図である。
【図３】ホーム画面を示す略線図である。
【図４】ビデオ映像を示す略線図である。
【図５】ＣＤ再生中の通知画面を示す略線図である。
【図６】携帯型音楽プレーヤ再生中の通知画面を示す略線図である。
【図７】マルチゾーン配信状態一覧画面（１）を示す略線図である。
【図８】マルチゾーン配信状態一覧画面（２）を示す略線図である。
【図９】マルチゾーン配信状態一覧画面（３）を示す略線図である。
【図１０】マルチゾーン配信状態一覧画面（４）を示す略線図である。
【符号の説明】
【００８７】
１……ＡＶシステム、２……ホームサーバ、３Ａ……ＤＶＤプレーヤ、３Ｂ……ＣＤプレーヤ、３Ｃ……携帯型音楽プレーヤ、４ＦＲ……右フロントスピーカ、４ＦＬ……左フロントスピーカ、４ＳＲ……右サラウンドスピーカ、４ＳＬ……左サラウンドスピーカ、４ＣＴ……センタスピーカ、４ＳＢＲ……右サラウンドバックスピーカ、４ＳＢＬ……左サラウンドバックスピーカ、４ＳＷ……サブウーファ、ＲＣＬ……リモートコントローラ、１０……制御部、１１……操作入力部、１２……インタフェース、１３……データ記憶媒体、１４……ＦＬ管、１５……グラフィック処理部、１６……ディジタル信号処理部、１７……配信処理部、１８……アナログ信号処理部。
【図１】
2008072401.tif 000003
【図２】
2008072401.tif 000004
【図３】
2008072401.tif 000005
【図４】
2008072401.tif 000006
【図５】
2008072401.tif 000007
【図６】
2008072401.tif 000008
【図７】
2008072401.tif 000009
【図８】
2008072401.tif 000010
【図９】
2008072401.tif 000011
【図１０】
2008072401.tif 000012